(57)【特許請求の範囲】
【請求項１】
照明負荷と、前記照明負荷の点灯を制御する点灯制御回路部と、人体の存在を検知する人体検知手段と、点灯保持時間と再点灯時間とを計時するタイマ回路部と、前記人体検知手段の出力信号と前記タイマ回路部の計時状態とに基づいて前記点灯制御回路部を制御する制御回路部と、前記各回路部と前記手段とに電力を供給する電源回路部とから構成され、前記制御回路部は、前記人体検知手段が人体の存在を検知した時点から前記点灯保持時間の間前記照明負荷を点灯させるよう前記点灯制御回路部を制御し、前記照明負荷の点灯中に前記人体検知手段が人体の存在を検知した時は、前記照明負荷の点灯中に前記人体検知手段が人体の存在を検知した時点から前記点灯保持時間の間前記照明負荷を点灯させるよう前記点灯制御回路部を制御し、前記タイマ回路部は、前記照明負荷の点灯終了後から前記再点灯時間の間に前記人体検知手段が人体の存在を検知した結果に基づいて前記点灯保持時間を長くすることを特徴とする照明制御装置。
【請求項２】
タイマ回路部は、照明負荷の点灯終了後から前記再点灯時間の間に人体検知手段が人体の存在を検知すると、前記点灯保持時間を所定の点灯保持時間より長くすることを特徴とする請求項１記載の照明制御装置。
【請求項３】
照明負荷の点灯終了後から前記再点灯時間の間に人体検知手段が人体の存在を検知した回数をカウントするカウンタ回路部を備え、タイマ回路部は、前記カウンタ回路部がカウントした回数が所定の回数に達すると前記点灯保持時間を所定の点灯保持時間より長くすることを特徴とする請求項１記載の照明制御装置。
【請求項４】
タイマ回路部は、照明負荷の点灯終了後から前記再点灯時間の間に人体検知手段が人体の存在を検知する毎に、前記点灯保持時間を前回の点灯保持時間より長くすることを特徴とする請求項１記載の照明制御装置。
【請求項５】
タイマ回路部は、照明負荷の点灯終了後から前記再点灯時間の間にカウンタ回路部がカウントした人体検知手段が人体の存在を検知した回数が増える毎に、前記点灯保持時間を前回の点灯保持時間より長くすることを特徴とする請求項３記載の照明制御装置。
【請求項６】
少なくとも２個以上の人体検知手段を備え、制御回路部は、照明負荷の点灯終了後、前記再点灯時間が経過した後に少なくとも２個以上の前記人体検知手段が同時に人体の存在を検知すると、照明負荷を点灯させるように点灯制御回路部を制御することを特徴とする請求項１記載の照明制御装置。
【請求項７】
タイマ回路部は、照明負荷の点灯終了後から前記再点灯時間の間に少なくとも１個以上の人体検知手段が人体の存在を検知すると、前記点灯保持時間を長くすることを特徴とする請求項６記載の照明制御装置。
【請求項８】
人体検知手段は人体までの距離を測定できる波動の反射を利用した能動型センサから構成され、人体を検知した時の前記人体までの距離に応じて前記能動型センサの波動出力を下げることを特徴とする請求項１記載の照明制御装置。
【請求項９】
制御回路部は、照明負荷を点灯させるとき以外は照明負荷を調光させるよう点灯制御回路部を制御することを特徴とする請求項１記載の照明制御装置。
【請求項１０】
照明負荷は放電灯で構成され、制御回路部は、前記放電灯の点灯終了後から前記再点灯時間の間は前記放電灯を予熱するよう点灯制御回路部を制御することを特徴とする請求項１記載の照明制御装置。
【請求項１１】
請求項１乃至１０いづれか記載の照明制御装置を内蔵したことを特徴とする照明器具。
【請求項１２】
形状が卓上自立型であることを特徴とする請求項１１記載の照明器具。
【発明の詳細な説明】
【０００１】
【発明の属する技術分野】
本発明は、人体検知手段を有して自動的に点灯制御を行う照明制御装置及びそれを用いた照明器具に関するものである。
【０００２】
【従来の技術】
従来から、トイレ等に設置され、人体検知手段を有し、人が近傍に存在すると自動的に点灯し、人が遠ざかると自動的に消灯する照明制御装置及びそれを用いた照明器具は存在した。
【０００３】
ここで使用される人体検知手段を構成する人体検知センサは、主に超音波センサ、測距センサ、焦電センサ（熱線センサ、ＰＩＲ）が使われる。
【０００４】
超音波センサと測距センサは各々超音波、赤外線を出力して、人体に当たって反射して戻ってくるまでの時間、または三角法によって反射角度を測定することで、人体の存在や人体までの距離を検知する能動型センサ（アクティブタイプセンサ）である。このタイプのセンサの長所は、人体が完全に静止していても確実に人体の存在検知ができることである。短所は、検知範囲（検知角度）が狭いこと、センサ稼動時の消費電力が比較的大きいこと、及び周辺回路を含めたコストが高いことである。
【０００５】
焦電センサは人体の体温により発生する遠赤外線の変化量を検知して人体の移動を検知するセンサであり、センサ自身からは何も出力しない受動型センサ（パッシブタイプセンサ）である。このタイプのセンサの長所は、検知範囲（検知角度）が比較的広いこと、センサ稼動時の消費電力が比較的小さいこと、壁などの人体以外の物体の誤検知が少ないこと、及び周辺回路を含めたコストが比較的安いことである。短所は、熱量の変化を検知するセンサであるので人体が完全に静止すると人体の存在検知ができないことである。
【０００６】
最近は、前記のような各センサの特徴を考慮して、能動型センサは洗面所のミラーライト等のように人体が必ず正面に位置する部位の照明制御装置及びそれを用いた照明器具に利用され、また受動型センサは廊下等の移動空間の照明制御装置及びそれを用いた照明器具に利用されることが多い。
【０００７】
また、玄関やトイレ等のように人体が静止する可能性があり、且つ一定以上の検知範囲（検知角度）が必要な部位の照明制御装置及びそれを用いた照明器具では受動型センサである焦電センサを使用し、人体の静止時のセンサ不動作対策として数十秒から数分の範囲で動作するタイマ回路を使用して、焦電センサにより人体の存在検知をして照明負荷を点灯させた後、前記タイマ回路が計時動作中は点灯状態を保持して、前記タイマ回路が計時動作を終了した後（タイムアップ後）消灯させる照明制御方式が用いられている。なお、以後このタイマの動作時間を点灯保持時間と呼ぶ。また、能動型センサを使用する場合においても、検知範囲（検知角度）が狭いという短所を補う理由で前記同様にタイマ回路によって一定時間点灯保持する照明制御方式が用いられている。
【０００８】
そして、前記点灯保持時間は通常固定、あるいはボリューム等を用いて手動調整が一般的であるが、特開平７−３１２２９５号公報で開示されているように人体の存在検知の検知間隔に応じて前記点灯保持時間を自動的に調整する照明制御方式も提案されている。
【０００９】
【発明が解決しようとする課題】
従来の照明制御装置及びそれを用いた照明器具では、人体の静止時のセンサ不動作対策として十分な点灯保持時間を設定する必要から、その場を立ち去った後（トイレでは退室後）人体が照明制御装置及びそれを用いた照明器具の周辺に存在しないにも関わらず点灯保持時間が終了するまで無駄に点灯する問題があった。
【００１０】
特開平７−３１２２９５号公報で開示されている発明では、人体検知手段の検知間隔に応じて柔軟に点灯保持時間を調整するため、無駄に点灯する時間は点灯保持時間固定の照明制御方式より短いと考えられる。焦電センサは熱（体温）の変化を検知するセンサであるから人間の移動速度が速ければ検知回数が多くなり点灯保持時間は短くなり、例えば人間が移動してから急に立ち止まった時には点灯保持時間が短くなっているので、人体が存在しているのにも関わらず誤消灯する可能性が高い。また、点灯時常に人体検知手段の検知間隔を比較する必要があり制御が複雑になる。
【００１１】
本発明は、上記事由に鑑みてなされたものであり、その目的は、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置及びそれを用いた照明器具を提供することにある。
【００１２】
【課題を解決するための手段】
請求項１の発明は、照明負荷と、前記照明負荷の点灯を制御する点灯制御回路部と、人体の存在を検知する人体検知手段と、点灯保持時間と再点灯時間とを計時するタイマ回路部と、前記人体検知手段の出力信号と前記タイマ回路部の計時状態とに基づいて前記点灯制御回路部を制御する制御回路部と、前記各回路部と前記手段とに電力を供給する電源回路部とから構成され、前記制御回路部は、前記人体検知手段が人体の存在を検知した時点から前記点灯保持時間の間前記照明負荷を点灯させるよう前記点灯制御回路部を制御し、前記照明負荷の点灯中に前記人体検知手段が人体の存在を検知した時は、前記照明負荷の点灯中に前記人体検知手段が人体の存在を検知した時点から前記点灯保持時間の間前記照明負荷を点灯させるよう前記点灯制御回路部を制御し、前記タイマ回路部は、前記照明負荷の点灯終了後から前記再点灯時間の間に前記人体検知手段が人体の存在を検知した結果に基づいて前記点灯保持時間を長くすることを特徴とし、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができる。
【００１３】
請求項２の発明は、請求項１の発明において、タイマ回路部は、照明負荷の点灯終了後から前記再点灯時間の間に人体検知手段が人体の存在を検知すると、前記点灯保持時間を所定の点灯保持時間より長くすることを特徴とし、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができる。
【００１４】
請求項３の発明は、請求項１の発明において、照明負荷の点灯終了後から前記再点灯時間の間に人体検知手段が人体の存在を検知した回数をカウントするカウンタ回路部を備え、タイマ回路部は、前記カウンタ回路部がカウントした回数が所定の回数に達すると前記点灯保持時間を所定の点灯保持時間より長くすることを特徴とし、カウンタ回路部を用いた簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができる。
【００１５】
請求項４の発明は、請求項１の発明において、タイマ回路部は、照明負荷の点灯終了後から前記再点灯時間の間に人体検知手段が人体の存在を検知する毎に、前記点灯保持時間を前回の点灯保持時間より長くすることを特徴とし、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができる。
【００１６】
請求項５の発明は、請求項３の発明において、タイマ回路部は、照明負荷の点灯終了後から前記再点灯時間の間にカウンタ回路部がカウントした人体検知手段が人体の存在を検知した回数が増える毎に、前記点灯保持時間を前回の点灯保持時間より長くすることを特徴とし、カウンタ回路部を用いた簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができる。
【００１７】
請求項６の発明は、請求項１の発明において、少なくとも２個以上の人体検知手段を備え、制御回路部は、照明負荷の点灯終了後、前記再点灯時間が経過した後に少なくとも２個以上の前記人体検知手段が同時に人体の存在を検知すると、照明負荷を点灯させるように点灯制御回路部を制御することを特徴とし、小動物や暖房機器等による人体の存在検知の誤動作を防いで信頼性向上を図ることができる。
【００１８】
請求項７の発明は、請求項６の発明において、タイマ回路部は、照明負荷の点灯終了後から前記再点灯時間の間に少なくとも１個以上の人体検知手段が人体の存在を検知すると、前記点灯保持時間を長くすることを特徴とし、一度点灯すると、人が存在するにも関わらず消灯する誤消灯、及び人が存在するにも関わらず調光する誤調光を可能な限り防止し、信頼性向上を図ることができる。
【００１９】
請求項８の発明は、請求項１の発明において、人体検知手段は人体までの距離を測定できる波動の反射を利用した能動型センサから構成され、人体を検知した時の前記人体までの距離に応じて前記能動型センサの波動出力を下げることを特徴とし、消費電力を低減させることができる。
【００２０】
請求項９の発明は、請求項１の発明において、制御回路部は、照明負荷を点灯させるとき以外は照明負荷を調光させるよう点灯制御回路部を制御することを特徴とし、完全に消灯させると危険な部位に設置することができる。
【００２１】
請求項１０の発明は、請求項１の発明において、照明負荷は放電灯で構成され、制御回路部は、前記放電灯の点灯終了後から前記再点灯時間の間は前記放電灯を予熱するよう点灯制御回路部を制御することを特徴とし、放電灯を予熱しておくことで誤消灯時においても即座に再点灯させて、ユーザの不快感を最小限に抑えることができる。
【００２２】
請求項１１の発明は、請求項１乃至１０いづれか記載の照明制御装置を内蔵したことを特徴とし、簡単な構成、制御で人間が周辺を離れたときはすみやかに点灯制御することにより不要な点灯による電力消費を抑え、また誤消灯、誤調光を可能な限り防止して使用者の利便性を損なわない照明器具を提供することができる。
【００２３】
請求項１２の発明は、請求項１１の発明において、形状が卓上自立型であることを特徴とし、簡単な構成、制御で人間が周辺を離れたときはすみやかに点灯制御することにより不要な点灯による電力消費を抑え、また誤消灯、誤調光を可能な限り防止して使用者の利便性を損なわない卓上自立型の照明器具を提供することができる。
【００２４】
【発明の実施の形態】
以下、本発明の実施の形態を図面に基づいて説明する。
【００２５】
（実施形態１）
本実施形態１の構成を図１に示し、動作を示すタイムチャートを図２に示す。本実施形態１は、白熱灯からなる照明負荷４と、スイッチング素子としてトライアックを含み照明負荷４を点灯制御する点灯制御回路部３と、受動型センサである焦電センサとアンプＩＣとで構成され人体の存在を検知して人体検知信号を出力する人体検知手段７と、タイマ用ＩＣからなり人体検知手段７から出力された人体検知信号を入力された時点から所定の点灯保持時間Ｔ１またはＴ１´を計時する点灯保持タイマ機能及び点灯保持時間Ｔ１またはＴ１´の計時が終了した時点から所定の再点灯時間Ｔ２を計時する再点灯タイマ機能を有するタイマ回路部６と、マイクロコンピュータ等からなり人体検知手段７から出力される人体検知信号とタイマ回路部６から出力される点灯保持時間Ｔ１、Ｔ１´及び再点灯時間Ｔ２の各計時状態とに基づいて点灯制御回路部３を制御する制御回路部５と、前記各回路部と手段とに交流電源１を整流平滑、降圧した電力を供給する電源回路部２とから構成される。なお、タイマ回路部６は制御回路部５のマイクロコンピュータで実現してもよい。
【００２６】
ここで、図２（ａ）は人体検知手段７から出力される人体検知信号、図２（ｂ）はタイマ回路部６の点灯保持タイマ機能の計時状態、図２（ｃ）はタイマ回路部６の再点灯タイマ機能の計時状態、図２（ｄ）は照明負荷４の状態の各タイムチャートを示す。時点Ｓ１において照明負荷４が消灯している状態で人体検知手段７が人体の存在を検知して人体検知信号を出力すると、制御回路部５は点灯制御回路部３を制御して照明負荷４を点灯させ、制御回路部５を介して人体検知信号を入力されたタイマ回路部６は点灯保持タイマ機能により点灯保持時間Ｔ１の計時を開始する。以後タイマ回路部６の点灯保持タイマ機能が点灯保持時間Ｔ１またはＴ１´の計時を行っている間、制御回路部５は点灯制御回路部３を制御して照明負荷４を点灯させる。タイマ回路部６の点灯保持タイマ機能が点灯保持時間Ｔ１の計時中である時点Ｓ２において人体検知手段７が人体の存在を検知して人体検知信号を出力すると、タイマ回路部６の点灯保持タイマ機能は時点Ｓ２から点灯保持時間Ｔ１の計時を再び開始し、制御回路部５は点灯制御回路部３を制御して照明負荷４の点灯をそのまま保持する。時点Ｓ２から点灯保持時間Ｔ１が経過して点灯保持タイマ機能の計時が終了する時点Ｓ３まで人体検知手段７が人体の存在を検知しなければ、時点Ｓ３において制御回路部５は点灯制御回路部３を制御して照明負荷４を消灯させて、タイマ回路部６の再点灯タイマ機能は再点灯時間Ｔ２の計時を開始する。時点Ｓ４において、再点灯時間Ｔ２の計時中に人体検知手段７が人体を再検知して人体検知信号を出力すると、制御回路部５は点灯制御回路部３を制御して照明負荷４を点灯させて、タイマ回路部６の点灯保持タイマ機能は前回の点灯保持時間Ｔ１よりも長い点灯保持時間Ｔ１´の計時を開始する。すなわち、消灯後、再点灯時間Ｔ２の計時中に人体検知手段７が人体の存在を再検知するのは、人がその場にいるにも関わらず、人体検知手段７の検知範囲が狭いため、あるいは本実施形態１のように人体検知手段７の人体検知センサに焦電センサを用いている場合に人が静止してしまったために人体検知手段７が人体の存在を検知できない人体不検知現象のために誤消灯したと判断し、点灯保持時間を長くして誤消灯を防止する方向に制御する。ここでもし、時点Ｓ３からの再点灯時間Ｔ２の計時終了後に人体検知手段７が人体検知信号を出力した場合は、タイマ回路部６の点灯保持タイマ機能は前回と同じ点灯保持時間Ｔ１を計時する。次に時点Ｓ４から点灯保持時間Ｔ１´が経過した時点Ｓ５までに人体検知手段７が人体の存在を検知しない場合は、時点Ｓ５において制御回路部５は点灯制御回路部３を制御して照明負荷４を消灯させて、再点灯時間Ｔ２の計時が開始される。この時点Ｓ５から再点灯時間Ｔ２が経過するまで人体検知手段７が人体の存在を再検知しない場合は、次に人体の存在を検知した時点Ｓ６において、制御回路部５は点灯制御回路部３を制御して照明負荷４を点灯させて、タイマ回路部６の点灯保持タイマ機能は点灯保持時間Ｔ１´をリセットして再び点灯保持時間Ｔ１にて計時を開始する。時点Ｓ６から点灯保持時間Ｔ１が経過するまで人体検知手段７が人体の存在を検知しない場合には時点Ｓ６から点灯保持時間Ｔ���が経過した時点Ｓ７にて照明負荷４は消灯し、再点灯時間Ｔ２の計時が開始される。点灯保持時間Ｔ１、Ｔ１´は使用される部位やユーザによって異なるためボリューム等で調整できることが望ましい。例えば、点灯保持時間Ｔ１は３０秒から数分程度、点灯保持時間Ｔ１´はＴ１＋３０秒、再点灯時間Ｔ２は５秒程度が一般的である。
【００２７】
本実施形態１では、例えば時点Ｓ５から再点灯時間Ｔ２が経過するまでに人体検知手段７が人体の存在を再検知したとしても点灯保持タイマ機能は前回の計時と同様に点灯保持時間Ｔ１´で計時を開始するが、人体検知手段７が連続して人体の存在を再検知した場合は、再検知回数が増える毎に点灯保持時間を延長してもよい。また、本実施形態１では照明負荷４として白熱灯を用いているが、蛍光灯やＬＥＤを用いてもよい。
【００２８】
このように本実施形態１によれば、人体検知手段７の人体不検知現象があった場合には次の点灯保持時間を長く設定し、また初期の点灯保持時間Ｔ１を必要と予想される最短時間に設定することにより、簡単な構成、制御で人間が周辺を離れたときはすみやかに消灯することにより不要な点灯による電力消費を抑え、誤消灯を可能な限り防止して使用者の利便性を損なわない照明制御装置及びそれを用いた照明器具を提供することができる。
【００２９】
（実施形態２）
本実施形態２の構成を図３に示し、動作を示すタイムチャートを図２に示す。前記実施形態１とは基本的な構成は同一であり、同一の構成、要素には同一の符号を付して説明は省略する。本実施形態２において、制御回路部５と接続されるカウンタ回路部８は、カウンタを有し、照明負荷４の点灯が終了してタイマ回路部６の再点灯タイマ機能が再点灯時間Ｔ２の計時中に人体検知手段７が人体の存在を検知する再検知が発生するとカウンタが１回カウントアップする。そして再検知が２回発生し、カウンタが２回カウントアップするとタイマ回路部６の点灯保持タイマ機能は前回の点灯保持時間Ｔ１よりも長い点灯保持時間Ｔ１´を計時して、点灯保持時間を長くして誤消灯を防止する方向に制御する。また人体検知手段７は、ドップラー効果による超音波の反射波の周波数の違いを利用して人体の移動（主に接近移動）を検知するセンサである。
【００３０】
そして本実施形態２の照明負荷４は蛍光灯であり、点灯制御回路部３は蛍光灯点灯回路で構成され、点灯制御回路部３と照明負荷４とは図５の回路構成で示される。交流電源１を整流器ＤＢで全波整流し、電解コンデンサＣ１で平滑して直流電源を得る。電解コンデンサＣ１に並列にインダクタＬ１とコンデンサＣ２との直列回路が接続され、インダクタＬ１に並列にコンデンサＣ３とインダクタＬ２との直列回路が接続され、コンデンサＣ３に並列に蛍光灯である照明負荷４が接続される。コンデンサＣ２に並列にダイオードＤ１とスイッチング素子Ｑ１とが接続され、スイッチング素子Ｑ１には駆動回路Ｋ１が接続される。この回路は一般に一石式インバータと呼ばれる電圧共振型のインバータ回路であり、駆動回路Ｋ１でスイッチング素子Ｑ１のオンデューティを制御することで電解コンデンサＣ１から供給される直流電力を高周波電力に変換して照明負荷４に高周波電流を供給し、スイッチング素子Ｑ１のオンデューティを変化させることで調光制御を行うことができる。例えば、スイッチング素子Ｑ１のオンデューティを小さくすることで調光比を下げることができる。またコンデンサＣ３は予熱用のコンデンサであり、照明負荷４を構成する蛍光灯が点灯（放電）を開始するまでの予熱時には高周波の予熱電流がコンデンサＣ３を介して照明負荷４を構成する蛍光灯のフィラメントを流れる。この予熱時にはスイッチング素子Ｑ１のオンデューティを予熱期間だけ小さくしてコンデンサＣ３を介して照明負荷４を構成する蛍光灯のフィラメントに予熱電流を流して十分に予熱して、その後スイッチング素子Ｑ１のオンデューティを大きくすることで照明負荷４の両端電圧を始動電圧以上にして点灯させる。本実施形態２では一石式インバータ回路を用いているが、調光制御と予熱期間の制御とが可能なハーフブリッジ式のインバータ回路、及び銅鉄式の安定器回路であってもよい。
【００３１】
ここで、図４（ａ）は人体検知手段７から出力される人体検知信号、図４（ｂ）はタイマ回路部６の点灯保持タイマ機能の計時状態、図４（ｃ）はタイマ回路部６の再点灯タイマ機能の計時状態、図４（ｄ）は照明負荷４の状態の各タイムチャートを示す。時点Ｓ１０において照明負荷４が消灯している状態で、人体検知手段７が人体の存在を検知して人体検知信号を出力すると、制御回路部５は点灯制御回路部３を制御して照明負荷４を予熱し点灯させ、制御回路部５を介して人体検知信号を入力されたタイマ回路部６は点灯保持タイマ機能により点灯保持時間Ｔ１の計時を開始する。以後タイマ回路部６の点灯保持タイマ機能が点灯保持時間Ｔ１またはＴ１´の計時を行っている間、制御回路部５は点灯制御回路部３を制御して照明負荷４を点灯させる。時点Ｓ１０から点灯保持時間Ｔ１が経過する時点Ｓ１１まで人体検知手段７が人体の存在を検知しなければ、時点Ｓ１１からタイマ回路部６の再点灯タイマ機能が再点灯時間Ｔ２の計時を行う。このタイマ回路部６の再点灯タイマ機能が再点灯時間Ｔ２の計時を行っているとき、制御回路部５は点灯制御回路部３を制御して照明負荷４を完全には消灯させず予熱状態にしておく（予熱状態時には照明負荷４は点灯していない）。これは、再点灯時間Ｔ２の計時中に人体検知手段７が人体を再検知して人体検知信号を出力するときは誤消灯であったと考えられるので、照明負荷４を予熱状態にしておいて人体検知手段７が人体の存在を再検知したら少しでも早く再点灯をさせて、ユーザの不快感を最小限に抑えるためである。時点Ｓ１２において、再点灯タイマ機能が再点灯時間Ｔ２の計時を終了すると、制御回路部５は点灯制御回路部３を制御して照明負荷４の予熱状態を解除して完全に消灯させる。時点Ｓ１３において、人体検知手段７が人体の存在を検知して人体検知信号を出力すると、時点Ｓ１０同様に制御回路部５は照明負荷４を予熱して点灯させる。タイマ回路部６の点灯保持タイマ機能が点灯保持時間Ｔ１の計時中である時点Ｓ１４において、人体検知手段７が人体の存在を検知して人体検知信号を出力すると、タイマ回路部６の点灯保持タイマ機能は時点Ｓ１４から点灯保持時間Ｔ１の計時を再び開始し、制御回路部５は点灯制御回路部３を制御して照明負荷４の点灯をそのまま保持する。時点Ｓ１４から点灯保持時間Ｔ１が経過する時点Ｓ１５まで人体検知手段７が人体の存在を検知しなければ、時点Ｓ１５において制御回路部５は点灯制御回路部３を制御して照明負荷４を予熱状態にして、タイマ回路部６の再点灯タイマ機能が再点灯時間Ｔ２の計時を開始する。時点Ｓ１６において、再点灯タイマ機能が再点灯時間Ｔ２の計時中に人体検知手段７が人体を再検知して人体検知信号を出力すると、カウンタ回路部８のカウンタはカウントアップし、１をカウントする。そして制御回路部５は点灯制御回路部３を制御して予熱状態であった照明負荷４をすぐ点灯させ、制御回路部５を介して人体検知信号を入力されたタイマ回路部６は点灯保持タイマ機能により点灯保持時間Ｔ１の計時を開始する。時点Ｓ１７において照明負荷４は点灯状態から予熱状態になり、タイマ回路部６の再点灯タイマ機能が再点灯時間Ｔ２の計時を開始する。時点Ｓ１８において、���点灯時間Ｔ２の計時中に人体検知手段７が人体を再検知して人体検知信号を出力すると、カウンタ回路部８のカウンタはカウントアップし、２をカウントする。本実施形態２ではカウンタ回路部８のカウンタが２回カウントアップして２をカウントすると、制御回路部５は点灯制御回路部３を制御して予熱状態であった照明負荷４をすぐ点灯させ、制御回路部５を介して人体検知信号を入力されたタイマ回路部６は誤消灯を防止するために点灯保持タイマ機能により前回の点灯保持時間Ｔ１よりも長い点灯保持時間Ｔ１´の計時を開始する。時点Ｓ１８から点灯保持時間Ｔ１´が経過した時点Ｓ１９までに人体検知手段７が人体の存在を検知しない場合は、時点Ｓ１９において前記同様照明負荷４は予熱状態になり、再点灯時間Ｔ２の計時が開始される。
【００３２】
なお、本実施形態２では、カウンタ回路部８のカウンタが２回カウントアップすると誤消灯防止のために点灯保持時間を延長しているが、カウントアップの回数は２回に限定しておらず、任意の回数カウントアップすれば点灯時間Ｔ１を長くしてもよい。またカウンタ回路部６のカウンタがカウンタアップする毎に点灯保持時間を延長してもよい。
【００３３】
図６は本実施形態２の照明制御装置を内蔵して、机やテーブル上に設置して使用する卓上自立型の照明器具の外形図を示す。電源回路部２、点灯制御回路３、制御回路部５、タイマ回路部６及びカウンタ回路部８を内蔵し、電源コード２４を介して交流電源と接続される台座２０と、台座２０の表面に配置された操作スイッチ２３と、台座２０後部から上方に向かって設置され、台座２０の前部側に人体検知手段７を備え、且つ点灯制御回路部３と照明負荷４との間の配線を内部に備えた支柱２１と、支柱２１の上端に設置され、下面に蛍光灯である照明負荷４を備えた蛍光灯取付け部２２とから構成される。
【００３４】
（実施形態３）
本実施形態３の構成を図７に示し、動作を示すタイムチャートを図８に示す。前記実施形態２と同一の構成、要素には同一の符号を付して説明は省略する。本実施形態３では、点灯制御回路部３は一定の調光比で照明負荷４を調光する調光制御を行うことができ、完全に消灯すると危険な部位に設置するため照明負荷４を点灯させていないときは調光状態にしておく。また、照明器具１００と送信機１０１とに分離され、各々が人体検知手段を有している。送信機１０１は、第１の人体検知手段７ａと、送信制御回路部１１と、送信タイマ回路部１２と、送信回路部１０と送信電源回路部（図示せず）とを内蔵している。送信電源回路部は、電池等で構成され送信機１０１の前記各回路部と手段とに電力を供給する。第１の人体検知手段７ａは、能動型センサであり、本実施形態３では出力した赤外線が反射して戻ってきたときの反射角から人体との距離を測定して人体の存在を検知する測距センサからなり、その検知動作はタイマ用ＩＣで構成された送信タイマ回路部１２により検知動作間隔Ｔ３にて離散的に行うよう制御され、人体の存在を検知したときには第１の人体検知信号を出力する。送信制御回路部１１はマイクロコンピュータ等で構成され、送信回路部１０の送信動作を制御する。送信回路部１０は、赤外ＬＥＤやトランジスタ等で構成され、周知の赤外リモコン送信機と同様の手段で、第１の人体検知信号に基づいたリモコン送信信号を照明器具１００内の受信回路部９に送信する。また照明器具１００は、受動型センサである焦電センサからなる第２の人体検知手段７ｂを有している。なお送信タイマ回路部１２は、送信制御回路部１１のマイクロコンピュータで実現してもよい。また、送信機１０１には点灯保持時間Ｔ１、Ｔ１´を手動で設定できる設定スイッチを設けてもよい。
【００３５】
ここで、図８（ａ）は測距センサからなる第１の人体検知手段７ａの赤外線出力、図８（ｂ）は第１の人体検知手段７ａから出力される第１の人体検知信号、図８（ｃ）は送信回路部１０から送信されるリモコン送信信号、図８（ｄ）は第２の人体検知手段７ｂから出力される第２の人体検知信号、図８（ｅ）はタイマ回路部６の点灯保持タイマ機能の計時状態、図８（ｆ）はタイマ回路部６の再点灯タイマ機能の計時状態、図８（ｇ）は照明負荷４の状態の各タイムチャートを示す。
【００３６】
図８（ａ）に示すように第１の人体検知手段７ａが、送信タイマ回路部１２で計時する時間Ｔ３の間隔で赤外線を出力して人体の存在の検知動作を行い、時点Ｓ２０において、第１の人体検知手段７ａは人体の存在を検知して第１の人体検知信号を出力し、送信制御回路部１１は第１の人体検知信号が出力されている間、送信回路部１０を制御して一定間隔のリモコン送信信号を受信回路部９に送信させ、受信回路部９は受信したリモコン送信信号をデジタル信号に変換して制御回路部５に入力する。そして時点Ｓ２１において受信回路部９が受信したリモコン送信信号と第２の人体検知手段７ｂから出力された第２の人体検知信号とが同時に制御回路部５に入力されると、制御回路部５は点灯制御回路部３を制御して照明負荷４を調光状態から点灯させ、タイマ回路部６は点灯保持タイマ機能により点灯保持時間Ｔ１の計時を開始する。即ち、第２の人体検知手段７ｂの焦電センサで人体であることを検知し、第１の人体検知手段７ａの測距センサで所定の距離にまで接近したことを検知して第１及び第２の人体検知手段７ａ、７ｂから各人体検知信号が同時に入力されて照明負荷４は調光状態から点灯することにより、小動物や暖房機器等による誤動作を防ぐ。以後タイマ回路部６の点灯保持タイマ機能が点灯保持時間Ｔ１またはＴ１´の計時を行っている間、制御回路部５は点灯制御回路部３を制御して照明負荷４を点灯させる。点灯後は、タイマ回路部６の点灯保持タイマ機能が点灯保持時間Ｔ１の計時中である時点Ｓ２２〜２５のように第１の人体検知手段７ａまたは第２の人体検知手段７ｂの内どちらか一方が人体検知信号を出力すると、タイマ回路部６の点灯保持タイマ機能は各時点Ｓ２２〜２５から点灯保持時間Ｔ１の計時を再び開始し、制御回路部５は点灯制御回路部３を制御して照明負荷４の点灯をそのまま保持する。時点Ｓ２５から点灯保持時間Ｔ１が経過する時点Ｓ２６まで人体検知手段７ａまたは人体検知手段７ｂが人体の存在を検知しなければ、時点Ｓ２６において制御回路部５は点灯制御回路部３を制御して照明負荷４を完全には消灯させず調光状態にして、タイマ回路部６の再点灯タイマ機能は再点灯時間Ｔ２の計時を開始する。時点Ｓ２７において、再点灯時間Ｔ２の計時中に第１の人体検知手段７ａまたは第２の人体検知手段７ｂの内どちらか一方が人体の存在を再検知して人体検知信号を出力すると、制御回路部５は点灯制御回路部３を制御して調光状態であった照明負荷４を点灯させ、タイマ回路部６は誤調光を防止するために点灯保持タイマ機能により前回の点灯保持時間Ｔ１よりも長い点灯保持時間Ｔ１´の計時を開始する。点灯後は、タイマ回路部６の点灯保持タイマ機能が点灯保持時間Ｔ１´の計時中である時点Ｓ２８〜３１のように第１の人体検知手段７ａまたは第２の人体検知手段７ｂの内どちらか一方が人体検知信号を出力すると、タイマ回路部６の点灯保持タイマ機能は各時点Ｓ２８〜３１から点灯保持時間Ｔ１´の計時を再び開始し、制御回路部５は点灯制御回路部３を制御して照明負荷４の点灯をそのまま保持する。時点Ｓ３１から点灯保持時間Ｔ１´が経過する時点Ｓ３２まで第１の人体検知手段７ａまたは第２の人体検知手段７ｂが人体の存在を検知しなければ、時��Ｓ３２において制御回路部５は点灯制御回路部３を制御して照明負荷４を完全には消灯させず、調光状態にしておく。
【００３７】
このように本実施形態３では、タイマ回路部６の再点灯タイマが計時を行っていない調光状態では第１の人体検知手段７ａと第２の人体検知手段７ｂとが同時に人体の存在を検知すると照明負荷４は点灯し、点灯後はどちらか一方の人体検知手段の人体検知信号によって点灯を保持し、また再点灯タイマが計時を行っている調光状態ではどちらか一方の人体検知手段の人体検知信号によって再点灯する。したがって、一度点灯すると人が存在するのに調光状態になる誤調光を防止する方向に制御するので信頼性向上を図ることができる。また、能動型の第１の人体検知手段７ａを分離して第１の人体検知信号を無線で送信することにより、第１の人体検知手段７ａを人体が静止する場所の近くに設置できるため、検知範囲が狭くても確実に人体の存在を検知することができ、検知するための赤外線の出力を必要最小限に下げることができる。そして、前記赤外線の出力を必要最小限に下げること及び第１の人体検知手段７ａが検知動作を連続的ではなく離散的に行うことによって消費電力を低減させることができる。そのため、送信電源回路部（図示せず）を電池で構成して送信機１０１の前記各回路部、手段を電池駆動することができる。本実施形態３では、第１の人体検知センサ７ａを赤外線の反射角から人体の存在の検知を行う測距センサとしたが、超音波が反射して戻ってくる時間で人体の存在の検知を行う超音波センサでもよい。
【００３８】
また、測距センサや超音波センサを用いた第１の人体検知手段７ａは、人体の存在を検知したときの人体との距離に応じて次回に出力する赤外線や超音波の出力を下げることによりさらに消費電力を低減させることができる。即ち、調光状態に移行した直後は壁までの距離を測定しているのでその時に測定した距離を記憶しておき、その次に第２の人体検知手段７ｂが人体の存在を検知して照明負荷４が点灯した時に測定した人体との距離が前記記憶した距離より短い距離であれば、その距離が人体までの距離であるので、次回からの赤外線や超音波の出力を前記人体までの距離を測定することのできる最小限の出力に下げることができる。その結果さらに消費電力を低減させることができる。
【００３９】
なお、本実施形態３では第１の人体検知手段７ａを測距センサとしたが、ドアの開閉を検知することによって人体の存在を検知するセンサであってもよい。
【００４０】
【発明の効果】
請求項１の発明は、照明負荷と、前記照明負荷の点灯を制御する点灯制御回路部と、人体の存在を検知する人体検知手段と、点灯保持時間と再点灯時間とを計時するタイマ回路部と、前記人体検知手段の出力信号と前記タイマ回路部の計時状態とに基づいて前記点灯制御回路部を制御する制御回路部と、前記各回路部と前記手段とに電力を供給する電源回路部とから構成され、前記制御回路部は、前記人体検知手段が人体の存在を検知した時点から前記点灯保持時間の間前記照明負荷を点灯させるよう前記点灯制御回路部を制御し、前記照明負荷の点灯中に前記人体検知手段が人体の存在を検知した時は、前記照明負荷の点灯中に前記人体検知手段が人体の存在を検知した時点から前記点灯保持時間の間前記照明負荷を点灯させるよう前記点灯制御回路部を制御し、前記タイマ回路部は、前記照明負荷の点灯終了後から前記再点灯時間の間に前記人体検知手段が人体の存在を検知した結果に基づいて前記点灯保持時間を長くするので、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができるという効果がある。
【００４１】
請求項２の発明は、請求項１の発明において、タイマ回路部は、照明負荷の点灯終了後から前記再点灯時間の間に人体検知手段が人体の存在を検知すると、前記点灯保持時間を所定の点灯保持時間より長くするので、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができるという効果がある。
【００４２】
請求項３の発明は、請求項１の発明において、照明負荷の点灯終了後から前記再点灯時間の間に人体検知手段が人体の存在を検知した回数をカウントするカウンタ回路部を備え、タイマ回路部は、前記カウンタ回路部がカウントした回数が所定の回数に達すると前記点灯保持時間を所定の点灯保持時間より長くするので、カウンタ回路部を用いた簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができるという効果がある。
【００４３】
請求項４の発明は、請求項１の発明において、タイマ回路部は、照明負荷の点灯終了後から前記再点灯時間の間に人体検知手段が人体の存在を検知する毎に、前記点灯保持時間を前回の点灯保持時間より長くするので、簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができるという効果がある。
【００４４】
請求項５の発明は、請求項３の発明において、タイマ回路部は、照明負荷の点灯終了後から前記再点灯時間の間にカウンタ回路部がカウントした人体検知手段が人体の存在を検知した回数が増える毎に、前記点灯保持時間を前回の点灯保持時間より長くするので、カウンタ回路部を用いた簡単な構成、制御で人間が周辺を離れたときはすみやかに点灯制御することにより不要な点灯による電力消費を抑え、また誤消灯、誤調光を可能な限り防止して使用者の利便性を損なわない照明制御装置を提供することができるという効果がある。
【００４５】
請求項６の発明は、請求項１の発明において、少なくとも２個以上の人体検知手段を備え、制御回路部は、照明負荷の点灯終了後、前記再点灯時間が経過した後に少なくとも２個以上の前記人体検知手段が同時に人体の存在を検知すると、照明負荷を点灯させるように点灯制御回路部を制御するので、小動物や暖房機器等による人体の存在検知の誤動作を防いで信頼性向上を図ることができるという効果がある。
【００４６】
請求項７の発明は、請求項６の発明において、タイマ回路部は、照明負荷の点灯終了後から前記再点灯時間の間に少なくとも１個以上の人体検知手段が人体の存在を検知すると、前記点灯保持時間を長くするので、一度点灯すると、人が存在するにも関わらず消灯する誤消灯、及び人が存在するにも関わらず調光する誤調光を可能な限り防止し、信頼性向上を図ることができるという効果がある。
【００４７】
請求項８の発明は、請求項１の発明において、人体検知手段は人体までの距離を測定できる波動の反射を利用した能動型センサから構成され、人体を検知した時の前記人体までの距離に応じて前記能動型センサの波動出力を下げるので、消費電力を低減させることができるという効果がある。
【００４８】
請求項９の発明は、請求項１の発明において、制御回路部は、照明負荷を点灯させるとき以外は照明負荷を調光させるよう点灯制御回路部を制御するので、完全に消灯させると危険な部位に設置することができるという効果がある。
【００４９】
請求項１０の発明は、請求項１の発明において、照明負荷は放電灯で構成され、制御回路部は、前記放電灯の点灯終了後から前記再点灯時間の間は前記放電灯を予熱するよう点灯制御回路部を制御するので、放電灯を予熱しておくことで誤消灯時においても即座に再点灯させて、ユーザの不快感を最小限に抑えることができるという効果がある。
【００５０】
請求項１１の発明は、請求項１乃至１０いづれか記載の照明制御装置を内蔵したので、簡単な構成、制御で人間が周辺を離れたときはすみやかに点灯制御することにより不要な点灯による電力消費を抑え、また誤消灯、誤調光を可能な限り防止して使用者の利便性を損なわない照明器具を提供することができるという効果がある。
【００５１】
請求項１２の発明は、請求項１１の発明において、形状が卓上自立型であるので、簡単な構成、制御で人間が周辺を離れたときはすみやかに点灯制御することにより不要な点灯による電力消費を抑え、また誤消灯、誤調光を可能な限り防止して使用者の利便性を損なわない卓上自立型の照明器具を提供することができるという効果がある。
【図面の簡単な説明】
【図１】本発明の実施形態１の構成を示す図である。
【図２】本発明の実施形態１の動作タイムチャートを示す図である。
【図３】本発明の実施形態２の構成を示す図である。
【図４】本発明の実施形態２の動作タイムチャートを示す図である。
【図５】本発明の実施形態２の点灯制御回路部の回路構成を示す図である。
【図６】本発明の実施形態２の卓上自立型の照明器具の外形を示す図である。
【図７】本発明の実施形態３の構成を示す図である。
【図８】本発明の実施形態３の動作タイムチャートを示す図である。
【符号の説明】
１  交流電源
２  電源回路部
３  点灯制御回路部
４  照明負荷
５  制御回路部
６  タイマ回路部
７  人体検知手段
【図１】
0004505962.tif 000002
【図２】
0004505962.tif 000003
【図３】
0004505962.tif 000004
【図４】
0004505962.tif 000005
【図５】
0004505962.tif 000006
【図６】
0004505962.tif 000007
【図７】
0004505962.tif 000008
【図８】
0004505962.tif 000009